(57)【要約】【課題】障害認識後のシステム管理者の調査作業を支援し、もって障害の迅速な解決を図ることができるを提供すること。【解決手段】シナリオ選択部２３３は、運用管理端末装置２００が表示したメッセージと最も関連のあるシナリオをシナリオ選択条件情報１２２に基づいて選択し、Ｗｅｂブラウザ２３５にそのシナリオを表示するように指示する。Ｗｅｂブラウザ２３５からのリクエストを受けたシナリオ表示画面生成部７２２は、指定されたシナリオの情報をシナリオＤＢ７１１から取得し、これに基づいて複数のシステム管理情報を複数同時に表示する画面を生成し、Ｗｅｂブラウザ２３５に応答する。【選択図】図３
2010186498.tif 000002
【特許請求の範囲】
【請求項１】
監視対象装置によって出力されるメッセージを記憶するメッセージログ記憶手段に記憶されているメッセージの１つが選択されたときに、該メッセージと、選択条件およびシステム管理者向けに提供されるＷｅｂページのアクセス先情報であるシナリオを一括管理するシナリオ群を対応付けて記憶するシナリオ選択条件記憶手段に記憶されている選択条件とマッチングさせることにより、該メッセージに対応するシナリオ群を前記シナリオ選択条件記憶手段から選択するシナリオ選択手順と、
シナリオと該シナリオを一括管理するシナリオ群と対応付けて記憶するシナリオ記憶手段から、前記シナリオ選択手順によって選択されたシナリオ群に対応付いたシナリオを取得し、取得したシナリオのうち、選択されたシナリオに含まれるアクセス先情報が示すＷｅｂページを表示するシナリオ表示画面生成手順と
をコンピュータに実行させることを特徴とするシステム管理情報表示プログラム。
【請求項２】
前記メッセージログ記憶手段は、前記監視対象装置によって出力されるメッセージと、該メッセージの種別とを対応付けて記憶し、
前記シナリオ選択条件記憶手段は、メッセージの種別を含む選択条件を記憶し、
前記シナリオ選択手順は、前記メッセージログ記憶手段に記憶されているメッセージの１つが選択されたときに、該メッセージと、前記シナリオ選択条件記憶手段に記憶されている該メッセージの種別を含む選択条件とマッチングさせることにより、該メッセージに対応するシナリオ群を前記シナリオ選択条件記憶手段から選択する
ことを特徴とする請求項１に記載のシステム管理情報表示プログラム。
【請求項３】
前記シナリオ表示画面生成手順は、Ｗｅｂブラウザに前記Ｗｅｂページの組み合わせを表示させることを特徴とする請求項１又は２に記載のシステム管理情報表示プログラム。
【請求項４】
監視対象装置によって出力されるメッセージを記憶するメッセージログ記憶手段と、
システム管理者向けに提供されるＷｅｂページのアクセス先情報をシナリオとし、該シナリオを一括管理するシナリオ群と対応付けて記憶するシナリオ記憶手段と、
選択条件および前記シナリオ群を対応付けて記憶するシナリオ選択条件記憶手段と、
前記メッセージログ記憶手段に記憶されているメッセージの１つが選択されたときに、該メッセージと前記シナリオ選択条件記憶手段に記憶されている選択条件とマッチングさせることにより、該メッセージに対応するシナリオ群を前記シナリオ選択条件記憶手段から選択するシナリオ選択手段と、
前記シナリオ選択手段によって選択されたシナリオ群に対応付いたシナリオを前記シナリオ記憶手段から取得し、取得したシナリオのうち、選択されたシナリオに含まれるアクセス先情報が示すＷｅｂページを表示するシナリオ表示画面生成手段と
を備えたことを特徴とするシステム管理情報表示装置。
【請求項５】
監視対象装置によって出力されるメッセージを記憶するメッセージログ記憶手段に記憶されているメッセージの１つが選択されたときに、該メッセージと、選択条件およびシステム管理者向けに提供されるＷｅｂページのアクセス先情報であるシナリオを一括管理するシナリオ群を対応付けて記憶するシナリオ選択条件記憶手段に記憶されている選択条件とマッチングさせることにより、該メッセージに対応するシナリオ群を前記シナリオ選択条件記憶手段から選択するシナリオ選択工程と、
シナリオと該シナリオを一括管理するシナリオ群と対応付けて記憶するシナリオ記憶手段から、前記シナリオ選択工程によって選択されたシナリオ群に対応付いたシナリオを取得し、取得したシナリオのうち、選択されたシナリオに含まれるアクセス先情報が示すＷｅｂページを表示するシナリオ表示画面生成工程と
を含んだことを特徴とするシステム管理情報表示方法。
【請求項６】
運用管理システムであって、
監視対象装置によって出力されるメッセージを記憶するメッセージログ記憶手段と、
システム管理者向けに提供されるＷｅｂページのアクセス先情報をシナリオとし、該シナリオを一括管理するシナリオ群と対応付けて記憶するシナリオ記憶手段と、
選択条件および前記シナリオ群を対応付けて記憶するシナリオ選択条件記憶手段と、
前記メッセージログ記憶手段に記憶されているメッセージの１つが選択されたときに、該メッセージと前記シナリオ選択条件記憶手段に記憶されている選択条件とマッチングさせることにより、該メッセージに対応するシナリオ群を前記シナリオ選択条件記憶手段から選択するシナリオ選択手段と、
前記シナリオ選択手段によって選択されたシナリオ群に対応付いたシナリオを前記シナリオ記憶手段から取得し、取得したシナリオのうち、選択されたシナリオに含まれるアクセス先情報が示すＷｅｂページを表示するシナリオ表示画面生成手段と
を備えたことを特徴とする運用管理システム。
【発明の詳細な説明】
【技術分野】
【０００１】
この発明は、システム管理情報表示プログラム、システム管理情報表示装置、システム管理情報表示方法および運用管理システムに関し、特に障害認識後のシステム管理者の調査作業を支援し、もって障害の迅速な解決を図ることができるシステム管理情報表示プログラム、システム管理情報表示装置、システム管理情報表示方法および運用管理システムに関するものである。
【背景技術】
【０００２】
いわゆるオープンシステムの普及にともなって、様々なベンダのハードウェアやソフトウェアを組み合わせて情報処理システムを構築することが一般化している。このようなマルチベンダ環境においては、システム管理者は、それぞれのハードウェアやソフトウェアが独自に提供している管理方式に習熟しなければならず、このことが非常に大きな負荷となっていた。
【０００３】
そこで、マルチベンダ環境でのシステム管理者の業務を支援するため、異なるハードウェアやソフトウェアの管理を統一された方法で一元的におこなうことができる運用管理システムが開発され、広く利用されるようになっている。
【０００４】
この運用管理システムの重要な機能の一つは、ハードウェアやソフトウェアがログ等に出力するシステム管理者向けのメッセージを収集して、運用管理端末のモニタに表示するメッセージ管理機能である。この機能により、システム管理者は、運用管理端末のモニタを監視するだけで全てのハードウェアやソフトウェアの障害やその予兆を知ることができるようになっている。
【０００５】
このような運用管理システムに関する技術は、たとえば、特許文献１や特許文献２において開示されている。
【先行技術文献】
【特許文献】
【０００６】
【特許文献１】特開平０７−２３０４２４号公報
【特許文献２】特開２０００−２０７３７２号公報
【発明の概要】
【発明が解決しようとする課題】
【０００７】
しかしながら、従来の運用管理システムには、障害を認識した後のシステム管理者の作業を支援することができていないという問題がある。
【０００８】
運用管理端末のモニタに障害やその予兆を示す情報が表示された場合、システム管理者は、状況確認と原因の把握のための調査をおこなう必要がある。運用管理システムが収集する情報は基礎的な情報に限られるため、詳細な調査をおこなうには、障害に関連するハードウェアやソフトウェアが提供する情報を直接参照しなければならない。この作業は、以下に示す２つの要因によって困難なものとなっている。
【０００９】
第１の要因は、調査対象の選択作業の困難さである。たとえば、アプリケーションのレスポンス異常が発生した場合、アプリケーション管理用の管理画面を参照してアプリケーションの稼動状態を確認したり、サーバ管理用の管理画面を参照したりしてＣＰＵ（Central Processing Unit）やメモリの状態を確認する必要がある。ハードウェアやソフトウェアが提供する情報には様々なものがあり、その中から異常と関連のある情報を的確に選択するにはノウハウが必要となる。
【００１０】
第２の要因は、調査対象へのアクセスの困難さである。調査すべき情報が選択できたとしても、その情報を取得できなければ調査はできない。既に述べたように、ハードウェアやソフトウェアはそれぞれ独自の管理方式を備えているため、それぞれの管理方式に応じた情報の取得手法に習熟しておかなければならない。
【００１１】
調査対象の選択漏れがあったり、調査対象の情報へのアクセスに手間取ることがあったりすると、原因を把握が遅れることとなり、障害の解決の遅延を招く。障害の遅延は、利用者に不都合であるばかりでなく、金銭的な損害を生じさせる場合もある。このような事態を避けるため、運用管理システムには、障害認識後のシステム管理者の作業を支援する機能の実現が強く要望されている。
【００１２】
この発明は、上述した従来技術による問題点を解消するためになされたものであり、障害認識後のシステム管理者の調査作業を支援し、もって障害の迅速な解決を図ることができるシステム管理情報表示プログラム、システム管理情報表示装置、システム管理情報表示方法および運用管理システムを提供することを目的とする。
【課題を解決するための手段】
【００１３】
上述した課題を解決し、目的を達成するため、本発明は、システム管理情報表示プログラムであって、複数のシステム管理手段が提供するシステム管理情報を目的別に組み合わせた表示パターン情報を取得する組み合わせ取得手順と、前記組み合わせ取得手順が取得した表示パターンに基づいて前記システム管理情報を組み合わせて表示する組み合わせ表示手順とをコンピュータに実行させることを特徴とする。
【００１４】
また、本発明は、システム管理情報表示装置であって、複数のシステム管理手段が提供するシステム管理情報を目的別に組み合わせた表示パターン情報を記憶する組み合わせ記憶手段と、前記組み合わせ記憶手段が記憶した表示パターンに基づいて前記システム管理情報を組み合わせて表示する組み合わせ表示手段とを備えたことを特徴とする。
【００１５】
また、本発明は、システム管理情報表示方法であって、複数のシステム管理手段が提供するシステム管理情報を目的別に組み合わせた表示パターン情報を取得する組み合わせ取得工程と、前記組み合わせ取得工程が取得した表示パターンに基づいて前記システム管理情報を組み合わせて表示する組み合わせ表示工程とを含んだことを特徴とする。
【００１６】
この発明によれば、予め目的別にシステム管理情報の表示パターンを作成しておき、必要時にはその表示パターンを指定することで表示パターンに定義された通りに複数のシステム管理情報が同時に表示されるように構成したので、障害発生時に必要な情報を漏れなく迅速に表示させることができる。
【００１７】
また、本発明は、上記の発明において、前記組み合わせ表示手順は、Ｗｅｂブラウザに前記システム管理情報の組み合わせを表示させることを特徴とする。
【００１８】
この発明によれば、汎用的な情報表示手段であるＷｅｂブラウザにシステム管理情報の組み合わせを表示させるように構成したので、独自の表示手段を必要とせず、仕組みを単純化することができる。
【００１９】
また、本発明は、複数のシステム管理手段が出力するシステム管理用のメッセージ情報を収集する運用管理サーバと、前記運用管理サーバが収集した前記メッセージ情報を表示する運用管理端末装置と、シナリオ表示サーバとをネットワークを介して接続して構成した運用管理システムであって、前記運用管理端末装置は、前記シナリオ表示サーバが提供するシナリオ表示画面の中から、表示したメッセージ情報の一つと最も関連のあるシナリオ表示画面を所定のルールに基づいて選択するシナリオ選択手段と、前記シナリオ選択手段が選択したシナリオ表示画面の表示をおこなうように前記シナリオ表示サーバに要求するシナリオ表示画面表示要求手段とを備え、前記シナリオ表示サーバは、前記システム管理手段が提供するシステム管理情報を目的別に組み合わせた表示パターン情報であるシナリオを記憶保持するシナリオ記憶手段と、前記シナリオ記憶手段が記憶しているシナリオに基づいて前記システム管理情報を組み合わせたシナリオ表示画面を生成するシナリオ表示画面生成手段とを備えたことを特徴とする。
【００２０】
この発明によれば、自身が表示したメッセージと最も関連のあるシナリオ表示画面を運用管理端末装置が自動選択し、選択されたシナリオ表示画面をシナリオ表示サーバが表示して複数のシステム管理情報が同時に表示されるように構成したので、運用管理端末装置に障害を示すメッセージが表示された場合に、その障害と関連のあるシステム管理情報を間違いなく迅速に漏れなく表示することができる。
【発明の効果】
【００２１】
本発明によれば、予め目的別にシステム管理情報の表示パターンを作成しておき、必要時にはその表示パターンを指定することで表示パターンに定義された通りに複数のシステム管理情報が同時に表示されるように構成したので、障害発生時に必要な情報を漏れなく迅速に表示させることができるという効果を奏する。
【００２２】
また、本発明によれば、汎用的な情報表示手段であるＷｅｂブラウザにシステム管理情報の組み合わせを表示させるように構成したので、独自の表示手段を必要とせず、仕組みを単純化することができるという効果を奏する。
【００２３】
また、本発明によれば、自身が表示したメッセージと最も関連のあるシナリオ表示画面を運用管理端末装置が自動選択し、選択されたシナリオ表示画面をシナリオ表示サーバが表示して複数のシステム管理情報が同時に表示されるように構成したので、運用管理端末装置に障害を示すメッセージが表示された場合に、その障害と関連のあるシステム管理情報を間違いなく迅速に漏れなく表示することができるという効果を奏する。
【図面の簡単な説明】
【００２４】
【図１】図１は、本実施例に係る運用管理システムの動作環境の一例を示すサンプル図である。
【図２】図２は、本実施例に係る運用管理システムにおける管理画面表示方式の概要を説明するための説明図である。
【図３】図３は、本実施例に係る運用管理システムの構成を示す機能ブロック図である。
【図４】図４は、メッセージログＤＢの一例を示すサンプル図である。
【図５】図５は、シナリオ選択条件情報の一例を示すサンプル図である。
【図６】図６は、メッセージ一覧画面の一例を示すサンプル図である。
【図７】図７は、シナリオＤＢの一例を示すサンプル図である。
【図８】図８は、シナリオ表示画面の一例を示すサンプル図である。
【図９】図９は、図３に示した運用管理端末装置の処理手順を示すフローチャートである。
【図１０】図１０は、図３に示したシナリオ表示サーバの処理手順を示すフローチャートである。
【図１１】図１１は、運用管理端末プログラムを実行するコンピュータを示す機能ブロック図である。
【図１２】図１２は、シナリオ表示プログラムを実行するコンピュータを示す機能ブロック図である。
【発明を実施するための形態】
【００２５】
以下に添付図面を参照して、この発明に係るシステム管理情報表示プログラム、システム管理情報表示装置、システム管理情報表示方法および運用管理システムの好適な実施の形態を詳細に説明する。
【実施例】
【００２６】
まず、本実施例に係る運用管理システムの動作環境について例を挙げて説明する。図１は、本実施例に係る運用管理システムの動作環境の一例を示すサンプル図である。同図に示すように、運用管理システムを構成する運用管理サーバ１００、運用管理端末装置２００および各種サーバは、ネットワークを介して接続される。
【００２７】
運用管理サーバ１００は、運用管理システムを全体制御する運用管理サーバプログラム１１０を稼動させる装置である。運用管理端末装置２００は、運用管理サーバプログラム１１０から送信される情報の表示や、運用管理サーバプログラム１１０へ各種処理の実行の依頼をおこなう運用管理端末プログラム２１０を稼動させる装置である。運用管理端末装置２００は、Ｗｅｂページを参照するためのＷｅｂブラウザ２２０も稼動させる。
【００２８】
データベースサーバ３００は、データベース機能を提供するデータベースプログラム３１０を稼動させる装置である。データベースサーバ３００は、各種のシステム管理プログラム３２０とエージェント３３０とＷｅｂサーバプログラム３４０も稼動させる。
【００２９】
システム管理プログラム３２０の一つであるサーバ管理プログラム３２１は、データベースサーバ３００のハードウェアとＯＳ（Operating System）の監視および制御をおこなうプログラムである。データベース管理プログラム３２２は、データベースプログラム３１０の監視および制御をおこなうプログラムである。ストレージ管理プログラム３２３は、データベースサーバ３００に接続される大容量記憶装置であるストレージ装置３５０の監視および制御をおこなうプログラムである。
【００３０】
エージェント３３０は、サーバ管理プログラム３２１と、データベース管理プログラム３２２と、ストレージ管理プログラム３２３とがログ等に出力するシステム管理者向けのメッセージを取得して運用管理サーバプログラム１１０へ送信するプログラムである。Ｗｅｂサーバプログラム３４０は、サーバ管理プログラム３２１と、データベース管理プログラム３２２と、ストレージ管理プログラム３２３とがシステム管理者向けに提供するＷｅｂページ等をネットワークに公開するためのプログラムである。
【００３１】
アプリケーションサーバ４００は、各種の業務処理を提供するアプリケーション４１０を稼動させる装置である。アプリケーションサーバ４００は、各種のシステム管理プログラム４２０とエージェント４３０とＷｅｂサーバプログラム４４０も稼動させる。
【００３２】
システム管理プログラム４２０の一つであるサーバ管理プログラム４２１は、アプリケーションサーバ４００のハードウェアとＯＳの監視および制御をおこなうプログラムである。アプリケーション管理プログラム４２２は、アプリケーション４１０の監視および制御をおこなうプログラムである。ジョブ管理プログラム４２３は、アプリケーション４１０をはじめとする各種プログラムの実行スケジュールの監視および制御をおこなうプログラムである。
【００３３】
エージェント４３０は、サーバ管理プログラム４２１と、アプリケーション管理プログラム４２２と、ジョブ管理プログラム４２３とがログ等に出力するシステム管理者向けのメッセージを取得して運用管理サーバプログラム１１０へ送信するプログラムである。Ｗｅｂサーバプログラム４４０は、サーバ管理プログラム４２１と、アプリケーション管理プログラム４２２と、ジョブ管理プログラム４２３とがシステム管理者向けに提供するＷｅｂページ等をネットワークに公開するためのプログラムである。
【００３４】
ネットワーク機器管理サーバ５００は、ルータ６００等の各種のネットワーク機器の管理をおこなうための装置であり、各種のシステム管理プログラム５１０と、エージェント５２０と、Ｗｅｂサーバプログラム５３０とを稼動させる。
【００３５】
システム管理プログラム５１０の一つであるネットワーク管理プログラム５１１は、ルータ６００等の各種のネットワーク機器の監視および制御をおこなうプログラムである。エージェント５２０は、ネットワーク管理プログラム５１１がログ等に出力するシステム管理者向けのメッセージを取得して運用管理サーバプログラム１１０へ送信するプログラムである。Ｗｅｂサーバプログラム５３０は、ネットワーク管理プログラム５１１がシステム管理者向けに提供するＷｅｂページ等をネットワークに公開するためのプログラムである。
【００３６】
このように、ここに例を示した動作環境では、データベースサーバ３００、アプリケーションサーバ４００およびネットワーク機器管理サーバ５００において、各種のシステム管理プログラムが稼動し、これらが出力したシステム管理者向けのメッセージは、各サーバのエージェントによって取得されて運用管理サーバプログラム１１０に送信される。メッセージを受信した運用管理サーバプログラム１１０は、メッセージの整形をおこなった後、これを運用管理端末プログラム２１０に送信する。そして、運用管理端末プログラム２１０は、受信したメッセージをモニタに出力する。このような手順により、全てのサーバの障害情報や警告情報が運用管理端末装置２００のモニタに一元的に表示されることになる。
【００３７】
また、システム管理者が障害情報や警告情報の詳細情報を必要とする場合は、運用管理端末装置２００のＷｅｂブラウザ２２０を使用して、各種サーバのＷｅｂサーバプログラムにアクセスすることで、各システム管理プログラムが提供するＷｅｂページを参照することができる。ただし、これらのＷｅｂページは、それぞれのシステム管理プログラムが独自の仕様に基づいて提供しているものであり、呼び出すためのＵＲＬの命名等に全体として統一された規則性はない。
【００３８】
次に、本実施例に係る運用管理システムにおける管理画面表示方式の概要について説明する。図２は、本実施例に係る運用管理システムにおける管理画面表示方式の概要を説明するための説明図である。
【００３９】
同図に示すように、運用管理端末装置２００のモニタ上には、メッセージ一覧画面が常時表示される。ここで、その画面上に障害が発生した旨を示すメッセージが出力され、状況確認をおこなう必要が生じたものとする。
【００４０】
このような場合、従来は、システム管理者がメッセージの内容を基にして障害と関連のありそうな情報を自身の知見に基づいて選択し、それらの情報をＷｅｂブラウザ等を使用して参照していた。この従来の手法では、障害と関連のある重要な情報を選択し忘れたり、情報の参照に手間取ったりすることによって状況確認が遅れてしまうことがあった。
【００４１】
本実施例に係る運用管理システムにおける管理画面表示方式では、このような場合に、関連する情報の表示を自動でおこなう。具体的には、メッセージの内容を判断して調査ためのシナリオを自動選択し、このシナリオに沿って情報をシナリオ表示画面に表示するという処理をおこなう。
【００４２】
図２に示すように、シナリオ表示画面は、Ｗｅｂブラウザの画面を左右にフレーム分割し、左側をシナリオメニュー表示部、右側を管理画面表示部とした構成となっている。シナリオメニュー表示部には、メッセージの内容を基にして選択されたシナリオ群に含まれるシナリオがリスト表示され、これらのシナリオの一つを選択することにより管理画面表示部の表示内容がシナリオに沿った内容に更新される。
【００４３】
管理画面表示部は、シナリオで定義された数と形に分割され、分割された各領域に調査のための情報が表示される。たとえば、シナリオメニュー表示部においてシナリオ１というシナリオを選択すると、管理画面表示部は３分割され、それぞれの領域にサーバ管理画面とアプリケーション管理画面とジョブ管理画面とが表示される。また、シナリオメニュー表示部においてシナリオ２というシナリオを選択すると、管理画面表示部は２分割され、それぞれの領域にアプリケーション管理画面とネットワーク管理画面とが表示される。
【００４４】
このように、メッセージの内容に基づいてシナリオを選択し、シナリオに応じて複数の管理画面を同時に表示することにより、システム管理者は、必要な全ての情報を漏れなく速やかに参照することができ、もって障害への対応を迅速におこなうことができる。
【００４５】
次に、本実施例に係る運用管理システムの構成について説明する。図３は、本実施例に係る運用管理システムの構成を示す機能ブロック図である。同図に示すように、本実施例に係る運用管理システムは、運用管理サーバ１００と、運用管理端末装置２００と、シナリオ表示サーバ７００がネットワークを介して接続された構成をとる。なお、データベースサーバ等の各種のサーバ上で稼動し、各種の情報を運用管理サーバ１００に対して送信するエージェントも運用管理システムの一部であるといえるが、ここでは図示を省略している。
【００４６】
運用管理サーバ１００は、運用管理システムの全体制御をおこなう装置であり、記憶部１２０と、制御部１３０と、ネットワークインターフェース部１４０とを有する。記憶部１２０は、各種情報を記憶する記憶部であり、メッセージログＤＢ１２１とシナリオ選択条件情報１２２とを記憶する。
【００４７】
メッセージログＤＢ１２１は、各種サーバ上のエージェントから送信されたシステム管理者向けのメッセージを蓄積した情報である。図４は、メッセージログＤＢ１２１の一例を示すサンプル図である。同図に示すように、メッセージログＤＢ１２１は、ＩＤ、メッセージテキスト、重要度、種別、日時、ホスト名、ＩＰアドレス、ＭＡＣアドレスおよびアプリケーション名といったデータ項目をもつ。
【００４８】
ＩＤは、各データを識別するための識別番号である。メッセージテキストは、エージェントから送信されたメッセージに含まれるメッセージ本文である。重要度は、そのデータの重大さを表し、重要度の高い順に「異常」、「警告」、「通知」、「情報」といった値をとる。種別は、メッセージの発生元、すなわち、障害の発生元のシステム管理プログラムがどれであるのかを表す。日時は、障害の発生日時を表す。
【００４９】
ホスト名、ＩＰアドレス、ＭＡＣアドレスおよびアプリケーション名は、それぞれ、障害の発生元のホスト名、ＩＰアドレス、ＭＡＣアドレスおよびアプリケーション名を表し、種別に応じて必要な項目のみが設定される。
【００５０】
シナリオ選択条件情報１２２は、メッセージの内容を基にしてシナリオ表示画面に表示するシナリオ群を選択する際の選択条件を保持する。図５は、シナリオ選択条件情報１２２の一例を示すサンプル図である。同図に示すように、シナリオ選択条件情報１２２は、種別、優先順位、キーワードおよびシナリオ群名といったデータ項目をもつ。
【００５１】
種別は、メッセージログＤＢ１２１の種別のデータ項目と対応し、メッセージの内容からシナリオ群を選択するための第１の選択条件となる。優先順位、キーワードおよびシナリオ群名の組み合わせは、一つの種別に対して複数保持することができる。優先順位は、種別とキーワードがヒットするデータが複数存在した場合の優先順位を表す。
【００５２】
キーワードは、メッセージテキストとマッチングさせる字句を保持し、メッセージの内容からシナリオ群を選択するための第２の選択条件となる。キーワードに複数の字句を設定した場合は、全ての字句がメッセージテキストに含まれている場合にのみヒットしたとみなされる。また、キーワードに何も設定されていない場合は、常にメッセージテキストとヒットしたものとみなされる。
【００５３】
字句として、固定の文字列以外に、比較対象のメッセージの特定の項目の値に変換される変数も設定することができる。たとえば、「％ＨＯＳＴ％」という変数は、比較対象のメッセージのホスト名の項目の値に置き換えられた上で、メッセージテキストとマッチングされる。
【００５４】
シナリオ群名は、種別とキーワードがメッセージとヒットした場合に選択されるシナリオ群の名称を保持する。
【００５５】
制御部１３０は、運用管理サーバ１００を全体制御する制御部であり、シナリオ選択条件情報送信部１３１を有する。シナリオ選択条件情報送信部１３１は、運用管理端末装置２００からの要求に応答して、シナリオ選択条件情報を送信する処理部である。ネットワークインターフェース部１４０は、ネットワークを通じて種々の情報をやり取りするためのインターフェースである。
【００５６】
なお、上記のメッセージログＤＢ１２１、シナリオ選択条件情報１２２およびシナリオ選択条件情報送信部１３１は、必ずしも運用管理サーバ１００に配置する必要はなく、運用管理端末装置２００やシナリオ表示サーバ７００や他のサーバに配置してもよい。
【００５７】
運用管理端末装置２００は、運用管理サーバ１００から送信された情報の表示や、運用管理サーバ１００へ処理の実行依頼をおこなう装置であり、制御部２３０と、ネットワークインターフェース部２４０とを有する。
【００５８】
制御部２３０は、運用管理端末装置２００を全体制御する制御部であり、メッセージ表示制御部２３１と、メッセージ取得部２３２と、シナリオ選択部２３３と、シナリオ選択条件情報取得部２３４とＷｅｂブラウザ起動部２３５とを有する。
【００５９】
メッセージ表示制御部２３１は、メッセージ取得部２３２が運用管理サーバ１００から取得したメッセージをメッセージ一覧画面へ出力し、この画面の利用者から受けた指示をシナリオ選択部２３３等の他の処理部へ通知する処理部である。ここで、メッセージ一覧画面について説明する。図６は、メッセージ一覧画面の一例を示すサンプル図である。
【００６０】
同図に示すように、メッセージ一覧画面には、重要度と、種別と、日時と、メッセージとが一覧表示される。これらの項目は、それぞれ、メッセージログＤＢ１２１の重要度と、種別と、日時と、メッセージテキストとに対応する。ここでは、種別は略語で表示され、日時は認識しやすい形式に整形されている。この一覧の特定の行を選択し、シナリオ表示ボタン１０を押下すると、選択したメッセージに対応するシナリオ表示画面が表示される。
【００６１】
メッセージ取得部２３２は、メッセージログＤＢ１２１に追加された情報を取得し、これをメッセージ表示制御部２３２へ引き渡す処理部である。
【００６２】
シナリオ選択部２３３は、シナリオ表示画面を表示すべき旨の指示があったという通知と、その指示において指定されたメッセージの内容の情報とをメッセージ表示制御部２３１から受け取り、シナリオ選択条件情報１２２からメッセージの内容に適合するシナリオ群に関する情報を取得し、その中から最も適したシナリオ群を選択する処理部である。
【００６３】
シナリオ選択条件情報取得部２３４は、シナリオ選択部２３３からの指示に基づいてシナリオ選択条件情報送信部１３１に情報の送信を依頼し、受信した情報をシナリオ選択部へ２３３引き渡す処理部である。
【００６４】
具体的には、シナリオ選択条件情報取得部２３４は、シナリオ選択部２３３から指定された種別に対応した情報をシナリオ選択条件情報送信部１３１から取得し、これをシナリオ選択部２３３へ引き渡す。シナリオ選択部２３３は、受け取った情報を使用して優先順位の高い順にキーワードとメッセージテキストのマッチング処理をおこなう。そして、最初にヒットした情報が示すシナリオ群をシナリオ表示画面に表示するシナリオ群として選択する。
【００６５】
Ｗｅｂブラウザ起動部２３５は、シナリオ選択部２３３が選択したシナリオ群を表示するためのＵＲＬ（Uniform Resource Locator）を生成し、このＵＲＬを指定してＷｅｂブラウザ２２０を起動する処理部である。Ｗｅｂブラウザ起動部２３５が生成するＵＲＬは、例えば以下のような形式をしている。
ｈｔｔｐ：／／シナリオ表示サーバ７００のホスト名／シナリオ表示画面生成部７２２の機能を呼び出すためのＣＧＩ名？ｓｃｅｎａｒｉｏ＝選択されたシナリオ群名＆シナリオ表示画面を表示する契機となったメッセージの属性情報
【００６６】
ネットワークインターフェース部２４０は、ネットワークを通じて種々の情報をやり取りするためのインターフェースである。
【００６７】
シナリオ表示サーバ７００は、シナリオ表示画面の生成をおこなう装置であり、記憶部７１０と、制御部７２０と、ネットワークインターフェース部７３０とを有する。記憶部７１０は、各種情報を記憶する記憶部であり、シナリオＤＢ７１１を記憶する。
【００６８】
シナリオＤＢ７１１は、シナリオ表示画面に表示するシナリオ情報を保持する。図７は、シナリオＤＢ７１１の一例を示すサンプル図である。同図に示すように、シナリオＤＢ７１１は、シナリオ群名、解説、シナリオ名、レイアウトタイプ、画面番号、画面名、ＵＲＬおよびパラメータといったデータ項目をもつ。
【００６９】
シナリオ群名は、シナリオ選択条件情報１２２のシナリオ群名と対応し、複数のシナリオを一括管理するグループであるシナリオ群の識別名である。解説は、シナリオ群名と１対１で対応し、シナリオ表示画面を操作する上での注意事項等を保持する。
【００７０】
シナリオ名は、シナリオ表示画面の管理画面表示部に同時に表示する管理画面を一括管理するグループであるシナリオの識別名である。シナリオは、シナリオ群のサブグループに相当し、シナリオ名は、シナリオ群名に対して複数設定できる。レイアウトは、シナリオ名と１対１で対応し、シナリオに含まれる管理画面の表示レイアウトを表す。レイアウトには、事前に定義されたレイアウトの一つを選択して設定する。
【００７１】
画面番号、画面名、ＵＲＬおよびパラメータの組み合わせは、シナリオ名に対して複数設定できる。これらの組み合わせは、シナリオ表示画面の管理画面表示部される個別の管理画面を表す。画面番号は、管理画面表示部における表示位置を示す。画面名は、管理画面の識別名である。ＵＲＬは、管理画面を表示するための基礎となるアドレスである。
【００７２】
パラメータは、管理画面を表示するためにＵＲＬに付加されるオプションデータを保持する。パラメータには、オプションデータの一部が変数として設定され、実際にＵＲＬ追加される際には、シナリオ表示画面生成部７２２によって変数の変換がおこなわれる。たとえば、パラメータに
ＨＯＳＴ＝％ＨＯＳＴ％，ＴＩＭＥ＝％ＴＩＭＥ％
という値が設定されており、シナリオ表示画面を表示する契機となったメッセージのホスト名の値が「ｈｏｓｔ０１」、日時の値が「２００４０９２３１０３７２１」だったとすると、上記の値は
ＨＯＳＴ＝ｈｏｓｔ０１＆ＴＩＭＥ＝２００４０９２３１０３７２１
という形に変換される。
【００７３】
制御部７２０は、シナリオ表示サーバ７００を全体制御する制御部であり、ＨＴＴＰ制御部７２１とシナリオ表示画面生成部７２２とを有する。
【００７４】
ＨＴＴＰ制御部７２１は、Ｗｅｂサーバ機能を提供する処理部である。シナリオ表示画面生成部７２２は、シナリオ表示画面を表示するためのＷｅｂページを生成する処理部である。ここで、シナリオ表示画面について説明することとする。図８は、シナリオ表示画面の一例を示すサンプル図である。
【００７５】
同図は、図７に示したシナリオＤＢの「アプリケーション管理：処理負荷」というシナリオ群を表示している場面を表している。シナリオメニュー表示部の上部には、このシナリオ群に属する「アプリケーション稼動情報」というシナリオと「アプリケーション性能情報」というシナリオの２つのシナリオが表示され、選択可能となっている。シナリオメニュー表示部の下部には、解説欄２０が設けられ、「アプリケーション管理：処理負荷」というシナリオ群の解説のデータ項目に設定された値が表示されている。
【００７６】
シナリオメニュー表示部において、「アプリケーション稼動情報」と「アプリケーション性能情報」のいずれかを選択すると、管理画面表示部の内容が切り替わる。図８は、「アプリケーション性能情報」が選択された状態を示しており、「アプリケーション性能情報」と「サーバ性能情報」という画面が表示されている。なお、この２つの管理画面は、シナリオ表示画面生成部７２２が生成したものではなく、シナリオ表示画面生成部７２２がフレームに埋め込んだＵＲＬに基づいてＷｅｂブラウザがアプリケーションサーバ等に生成と送信を依頼したものである。
【００７７】
このように、シナリオ表示画面生成部７２２は、処理起動時に指定されたパラメータとシナリオＤＢ７１１の情報を基にして、シナリオ表示画面の生成を動的におこなう。シナリオ表示画面には、調査対象の管理画面が複数同時に表示され、システム管理者は、このシナリオ表示画面を参照することで必要な全ての情報を容易に参照することができる。
【００７８】
ネットワークインターフェース部７３０は、ネットワークを通じて種々の情報をやり取りするためのインターフェースである。
【００７９】
次に、運用管理端末装置２００とシナリオ表示サーバ７００の処理手順について説明する。図９は、図３に示した運用管理端末装置２００の処理手順を示すフローチャートである。運用管理端末装置２００が表示したメッセージ一覧画面において特定のメッセージが選択され、そのメッセージに関連する詳細情報を表示する旨の指示がなされたならば、メッセージ表示制御部２３１がその指示を受付けてシナリオ選択部２３３に通知する。
【００８０】
メッセージ表示制御部２３１からの通知を受けたシナリオ選択部２３３は、選択されたメッセージの発生元を示す種別のデータ項目の値を取得し（ステップＳ１０１）、シナリオ選択条件情報取得部２３４に指示して種別の値が一致する情報をシナリオ選択条件情報１２２から取得させる（ステップＳ１０２）。
【００８１】
続いて、取得した情報を１件ずつ優先順位が高いものから選択し、キーワードがメッセージのメッセージテキストにマッチするかどうかを確認する（ステップＳ１０３）。そして、マッチする情報があれば、その情報が保持しているシナリオ群名を表示対象のシナリオ群の名前として採用する（ステップＳ１０４）。
【００８２】
続いて、シナリオ表示サーバのアドレスや、ステップＳ１０４で採用したシナリオ群名や、選択されたメッセージの各種データ項目の値等を使用して、シナリオ表示画面を表示するためのＵＲＬを生成し（ステップＳ１０５）、Ｗｅｂブラウザ起動部２３５に指示して、このＵＲＬを指定してＷｅｂブラウザを起動させる（ステップＳ１０６）。
【００８３】
このように、運用管理端末装置２００においては、選択されたメッセージに対応するシナリオ群を選択し、選択したシナリオ群に対応するシナリオ表示画面を表示するためにＷｅｂブラウザを起動するところまでを実行する。
【００８４】
図１０は、図３に示したシナリオ表示サーバ７００の処理手順を示すフローチャートである。ＨＴＴＰ制御部７２１は、Ｗｅｂブラウザからシナリオ表示画面の生成と送信をおこなうべき旨のリクエストを受付けると、シナリオ表示画面生成部７２２を呼び出し、受付けたリクエストをそこに含まれる各種パラメータとともに引き渡す。このシナリオ表示画面生成部７２２の呼び出しは、ＨＴＴＰ制御部７２１に備わっているＣＧＩ呼び出しの仕組み等を利用して実現される。
【００８５】
呼び出されたシナリオ表示画面生成部７２２は、受け取ったリクエストから各種パラメータを取り出し（ステップＳ２０１）、その中に表示するシナリオの指定があるか否かを確認する。
【００８６】
シナリオの指定がある場合は（ステップＳ２０２肯定）、指定されたシナリオの名前と、パラメータに含まれていたシナリオ群名とをキーにして、この２つが一致するシナリオをシナリオＤＢ７１０から取得する（ステップＳ２０３）。これは、シナリオ表示画面のシナリオメニュー表示部においていずれかのシナリオが選択された場合の動作である。シナリオ表示画面のシナリオメニュー表示部においていずれかのシナリオが選択された場合は、選択されたシナリオを示す情報がパラメータ中に含まれ、シナリオ表示画面生成部７２２は、その情報を参照して管理画面表示部に表示する画面を決定する。
【００８７】
シナリオの指定がない場合は（ステップＳ２０２否定）、パラメータに含まれていたシナリオ群名をキーにして、シナリオ群名が一致する最初のシナリオをシナリオＤＢ７１０から取得する（ステップＳ２０４）。これは、運用管理端末装置２００のメッセージ一覧画面においてメッセージが選択され、そのメッセージに関連するシナリオ表示画面の表示をおこなうように指示された場合の動作である。この場合は、選択されたシナリオを示す情報がパラメータ中に含まれないため、シナリオ表示画面生成部７２２は、シナリオ群名が一致する最初のシナリオが選択されたものとみなして、管理画面表示部に表示する画面を決定する。
【００８８】
管理画面表示部に表示するシナリオが決まったならば、管理画面表示部の各フレームに管理画面を表示させるためのＵＲＬを生成し（ステップＳ２０５）、このＵＲＬを使用してシナリオ表示画面を生成する（ステップＳ２０６）。そして、ＨＴＴＰ制御部７２１が画面データを要求元のＷｅｂブラウザに応答し、処理が完了する。
【００８９】
このように、シナリオ表示サーバ７００においては、シナリオ表示画面を表示するためのリクエストを受付け、リクエストに応じたシナリオ表示画面を生成し、要求元のＷｅｂブラウザに応答するところまでを実行する。
【００９０】
上記実施例で説明した各種の処理は、あらかじめ用意されたプログラムをコンピュータで実行することによって実現することができる。そこで、以下では、図１１〜１２を用いて、本実施例に係る運用管理システムを実現するためのプログラムを実行するコンピュータの一例を説明する。
【００９１】
図１１は、運用管理端末プログラムを実行するコンピュータを示す機能ブロック図である。このコンピュータ１０００は、ユーザからのデータの入力を受付ける入力装置１０１０、モニタ１０２０、各種プログラムを記録した記録媒体からプログラムを読み取る媒体読取り装置１０３０、各種情報を一時記憶するＲＡＭ（Random Access Memory）１０４０、ネットワークを介して他のコンピュータとの間でデータの授受をおこなうネットワークインターフェース１０５０、ＨＤＤ（Hard Disk Drive）１０６０およびＣＰＵ１０７０をバス１０８０で接続して構成される。
【００９２】
ＨＤＤ１０６０には、運用管理端末装置２００の機能と同様の機能を発揮するプログラムである運用管理端末プログラム１０６０ａが記憶されている。そして、ＣＰＵ１０７０が、運用管理端末プログラム１０６０ａをＨＤＤ１０６０から読み出して実行することにより、同プログラムは、運用管理端末プロセス１０７０ａとして機能するようになる。運用管理端末プロセス１０７０ａは、図３に示した制御部２２０に対応する。
【００９３】
また、ＣＰＵ１０７０は、運用管理サーバ１００が収集したメッセージに係るデータとシナリオ群の選択に係るデータとを取得して、ＲＡＭ１０４０にメッセージログデータ１０４０ａとシナリオ選択条件データ１０４０ｂとして格納し、ＲＡＭ１０４０に格納されたメッセージログデータ１０４０ａとシナリオ選択条件データ１０４０ｂに基づいて各種データ処理を実行する。
【００９４】
図１２は、シナリオ表示プログラムを実行するコンピュータを示す機能ブロック図である。このコンピュータ１１００は、入力装置１１１０、モニタ１１２０、媒体読取り装置１１３０、ＲＡＭ１１４０、ネットワークインターフェース１１５０、ＨＤＤ（１１６０およびＣＰＵ１１７０をバス１１８０で接続して構成される。
【００９５】
ＨＤＤ１１６０には、シナリオ表示サーバ７００の機能と同様の機能を発揮するプログラムであるシナリオ表示プログラム１１６０ｃが記憶されている。ＨＤＤ１１６０には、図３のシナリオＤＢ７１１に対応するシナリオテーブル１１６０ａとＷｅｂサーバ機能を発揮するＨＴＴＰサーバプログラム１１６０ｂも記憶される。
【００９６】
なお、シナリオテーブル１１６０ａ、ＨＴＴＰサーバプログラム１１６０ｂおよびシナリオ表示プログラム１１６０ｃについては、適宜統合または分散して記憶することとしてもよい。
【００９７】
そして、ＣＰＵ１１７０が、シナリオ表示プログラム１１６０ｃをＨＤＤ１１６０から読み出して実行することにより、同プログラムは、シナリオ表示プロセス１１７０ｂとして機能するようになる。シナリオ表示プロセス１１７０ｂは、図３に示したシナリオ画面生成部７２２に対応する。
【００９８】
また、ＣＰＵ１１７０が、ＨＴＴＰサーバプログラム１１６０ｂをＨＤＤ１１６０から読み出して実行することにより、同プログラムは、ＨＴＴＰサーバプロセス１１７０ａとして機能するようになる。ＨＴＴＰサーバプロセス１１７０ａは、図３に示したＨＴＴＰ制御部７２１に対応する。
【００９９】
また、ＣＰＵ１１７０は、シナリオ表示画面に表示するシナリオに係る各種データをＨＤＤ１１６０のシナリオテーブル１１６０ａから読み出してＲＡＭ１１４０にシナリオデータ１１４０ａとして格納し、ＲＡＭ１１４０に格納されたシナリオデータ１１４０ａに基づいて各種データ処理を実行する。
【０１００】
なお、上記の運用管理端末プログラム１０６０ａ、ＨＴＴＰサーバプログラム１１６０ｂおよびシナリオ表示プログラム１１６０ｃについては、必ずしもＨＤＤ１０６０もしくはＨＤＤ１１６０に格納されている必要はなく、ＣＤ−ＲＯＭ等の記憶媒体に記憶されたプログラムを、コンピュータ１０００もしくはコンピュータ１１００が読み出して実行するようにしてもよい。また、公衆回線、インターネット、ＬＡＮ、ＷＡＮ等を介してコンピュータ１０００もしくはコンピュータ１１００に接続される他のコンピュータ（またはサーバ）などにプログラムを記憶させておき、コンピュータ１０００もしくはコンピュータ１１００がこれらからプログラムを読み出して実行するようにしてもよい。
【０１０１】
上述してきたように、本実施例では、自身が表示したメッセージと最も関連のあるシナリオ表示画面を運用管理端末装置が自動選択し、選択されたシナリオ表示画面をシナリオ表示サーバが表示して複数のシステム管理情報が同時に表示されるように構成したので、運用管理端末装置に障害を示すメッセージが表示された場合に、その障害と関連のあるシステム管理情報を間違いなく迅速に漏れなく表示することができる。
【０１０２】
なお、本実施例では、本発明に係る運用管理端末装置とシナリオ表示サーバを組み合わせて利用する場合について説明したが、シナリオ表示サーバは、単独で利用した場合においても有用である。
【０１０３】
本発明に係るシナリオ表示サーバを単独で利用する場合、シナリオ表示画面を検索するメニュー画面等を用意しておくことで、システム管理者は、必要に応じてシナリオ表示画面を表示させることができる。すなわち、障害発生時に、必要な情報を漏れなく迅速に表示させることができることになる。
【０１０４】
また、本実施例では、システム管理プログラム各種システム管理プログラムが提供する管理情報をＷｅｂブラウザと使って参照するものとして説明したが、Ｗｅｂブラウザ以外の手段によって管理情報を参照するものとしてもよい。
【０１０５】
また、特許請求の範囲および下記の付記における組み合わせ取得手順、組み合わせ表示手順、組み合わせ記憶手段、組み合わせ表示手段、組み合わせ取得工程、組み合わせ表示工程は、本実施例におけるシナリオ表示画面生成部７２２に相当する。同じく、システム管理情報表示プログラムは、本実施例における制御部７２０に相当し、システム管理情報表示装置は、本実施例におけるシナリオ表示サーバ７００に相当する。
【０１０６】
（付記１）複数のシステム管理手段が提供するシステム管理情報を目的別に組み合わせた表示パターン情報を取得する組み合わせ取得手順と、
前記組み合わせ取得手順が取得した表示パターンに基づいて前記システム管理情報を組み合わせて表示する組み合わせ表示手順と
をコンピュータに実行させることを特徴とするシステム管理情報表示プログラム。
【０１０７】
（付記２）前記組み合わせ表示手順は、Ｗｅｂブラウザに前記システム管理情報の組み合わせを表示させることを特徴とする付記１に記載のシステム管理情報表示プログラム。
【０１０８】
（付記３）複数のシステム管理手段が提供するシステム管理情報を目的別に組み合わせた表示パターン情報を記憶する組み合わせ記憶手段と、
前記組み合わせ記憶手段が記憶した表示パターンに基づいて前記システム管理情報を組み合わせて表示する組み合わせ表示手段と
を備えたことを特徴とするシステム管理情報表示装置。
【０１０９】
（付記４）複数のシステム管理手段が提供するシステム管理情報を目的別に組み合わせた表示パターン情報を取得する組み合わせ取得工程と、
前記組み合わせ取得工程が取得した表示パターンに基づいて前記システム管理情報を組み合わせて表示する組み合わせ表示工程と
を含んだことを特徴とするシステム管理情報表示方法。
【０１１０】
（付記５）複数のシステム管理手段が出力するシステム管理用のメッセージ情報を収集する運用管理サーバと、前記運用管理サーバが収集した前記メッセージ情報を表示する運用管理端末装置と、シナリオ表示サーバとをネットワークを介して接続して構成した運用管理システムであって、
前記運用管理端末装置は、
前記シナリオ表示サーバが提供するシナリオ表示画面の中から、表示したメッセージ情報の一つと最も関連のあるシナリオ表示画面を所定のルールに基づいて選択するシナリオ選択手段と、
前記シナリオ選択手段が選択したシナリオ表示画面の表示をおこなうように前記シナリオ表示サーバに要求するシナリオ表示画面表示要求手段と
を備え、
前記シナリオ表示サーバは、
前記システム管理手段が提供するシステム管理情報を目的別に組み合わせた表示パターン情報であるシナリオを記憶保持するシナリオ記憶手段と、
前記シナリオ記憶手段が記憶しているシナリオに基づいて前記システム管理情報を組み合わせたシナリオ表示画面を生成するシナリオ表示画面生成手段と
を備えたことを特徴とする運用管理システム。
【産業上の利用可能性】
【０１１１】
以上のように、本発明にかかるシステム管理情報表示プログラム、システム管理情報表示装置、システム管理情報表示方法および運用管理システムは、情報処理システムの障害対応に有用であり、特に、障害認識後の現状確認と原因把握を迅速におこなう必要がある場合に適している。
【符号の説明】
【０１１２】
１０    シナリオ表示ボタン
２０    解説欄
１００    運用管理サーバ
１１０    運用管理サーバプログラム
１２０    記憶部
１２１    メッセージログＤＢ
１２２    シナリオ選択条件情報
１３０    制御部
１３１    シナリオ選択条件情報送信部
１４０    ネットワークインターフェース部
２００    運用管理端末装置
２１０    運用管理端末プログラム
２２０    Ｗｅｂブラウザ
２３０    制御部
２３１    メッセージ表示制御部
２３２    メッセージ取得部
２３３    シナリオ選択部
２３４    シナリオ選択条件情報取得部
２３５    Ｗｅｂブラウザ起動部
２４０    ネットワークインターフェース部
３００    データベースサーバ
３１０    データベースプログラム
３２０    システム管理プログラム
３２１    サーバ管理プログラム
３２２    データベース管理プログラム
３２３    ストレージ管理プログラム
３３０    エージェント
３４０    Ｗｅｂサーバプログラム
３５０    ストレージ装置
４００    アプリケーションサーバ
４１０    アプリケーション
４２０    システム管理プログラム
４２１    サーバ管理プログラム
４２２    アプリケーション管理プログラム
４２３    ジョブ管理プログラム
４３０    エージェント
４４０    Ｗｅｂサーバプログラム
５００    ネットワーク機器管理サーバ
５１０    システム管理プログラム
５１１    ネットワーク管理プログラム
５２０    エージェント
５３０    Ｗｅｂサーバプログラム
６００    ルータ
７００    シナリオ表示サーバ
７１０    記憶部
７１１    シナリオＤＢ
７２０    制御部
７２１    ＨＴＴＰ制御部
７２２    シナリオ表示画面生成部
７３０    ネットワークインターフェース部
１０００    コンピュータ
１０１０    入力装置
１０２０    モニタ
１０３０    媒体読取り装置
１０４０    ＲＡＭ
１０４０ａ  メッセージログデータ
１０４０ｂ  シナリオ選択条件データ
１０５０    ネットワークインターフェース
１０６０    ＨＤＤ
１０６０ａ  運用管理端末プログラム
１０７０    ＣＰＵ
１０７０ａ  運用管理端末プロセス
１０８０    バス
１１００    コンピュータ
１１１０    入力装置
１１２０    モニタ
１１３０    媒体読取り装置
１１４０    ＲＡＭ
１１４０ａ  シナリオデータ
１１５０    ネットワークインターフェース
１１６０    ＨＤＤ
１１６０ａ  シナリオテーブル
１１６０ｂ  ＨＴＴＰサーバプログラム
１１６０ｃ  シナリオ表示プログラム
１１７０    ＣＰＵ
１１７０ａ  ＨＴＴＰサーバプロセス
１１７０ａ  シナリオ表示プロセス
１１８０    バス
【図１】
2010186498.tif 000003
【図２】
2010186498.tif 000004
【図３】
2010186498.tif 000005
【図４】
2010186498.tif 000006
【図５】
2010186498.tif 000007
【図６】
2010186498.tif 000008
【図７】
2010186498.tif 000009
【図８】
2010186498.tif 000010
【図９】
2010186498.tif 000011
【図１０】
2010186498.tif 000012
【図１１】
2010186498.tif 000013
【図１２】
2010186498.tif 000014